(57)【要約】【課題】本発明は、多階調の文字や図形や静止画などを、近距離でもはっきり見える単階調で表示する表示機器を提供することを目的とするものである。【解決手段】本発明は、複数配列した発光素子で構成された表示部５９と、階調表示を行う表示制御部５４と、表示データやしきい値を記憶するメモリ部５１と、表示データ切替部６５を備え、多階調の表示データを表示データの種類に応じたしきい値によって単階調の表示データに変換する。【選択図】図１
2009025580.tif 000002
【特許請求の範囲】
【請求項１】
複数配列した発光素子で構成され、文字や図形や静止画などを表示する表示部と、前記表示部に表示する表示データの階調表示制御を行う表示制御部と、多階調表示または単階調表示を切り分けるしきい値を記憶するメモリ部と、多階調の前記表示データの種類に応じた前記しきい値によって単階調データに変換する表示データ切換部とを備えた表示装置。
【請求項２】
前記表示部は、マトリックス状に配置された複数のＬＥＤ（発光ダイオード）を備えたことを特徴とする請求項１に記載の表示装置。
【請求項３】
複数配列した発光素子で構成され、文字や図形や静止画などを表示する表示部と、前記表示部に表示する表示データの階調表示制御を行う表示制御部と、多階調表示または単階調表示を切り分けるしきい値を記憶するメモリ部と、多階調の前記表示データの種類に応じた前記しきい値によって単階調データに変換する表示データ切替部と、リモコン受光部を備えた表示装置の画面表示方法であって、前記リモコン受光部で検出した値に基づいて、多階調表示または単階調表示を切り分ける表示制御工程を含む表示装置の画面表示方法。
【発明の詳細な説明】
【技術分野】
【０００１】
本発明は、ＬＥＤ等の発光体をマトリックス状に配置し、文字や図形や静止画などを多階調あるいは単階調で表示する表示装置に関するものである。
【背景技術】
【０００２】
従来の表示装置は、ＬＥＤ(発光ダイオード)等の発光素子をマトリックス状に配列し、発光素子を選択的に発光駆動することで任意の文字や図形や静止画などを発光表示し、単色であっても発光素子の発光時間を制御し、発光輝度に濃淡をつけて表示が可能なものもある（例えば、特許文献１参照）。図５は、前記特許文献１に記載された従来の表示装置の概略構成を示すブロック図である。
【０００３】
図５において、表示装置１００は、複数のＬＥＤ素子８と前記ＬＥＤ素子８の点灯と消灯を制御するＬＥＤドライバ７を有し、文字や図形や静止画などの表示データを表示する表示部３０と、パーソナルコンピューター（図示せず）により作成された文字・図形・静止画などの表示データＤ１を、記憶媒体６を介して入力し、表示データや制御データを保存するためのＥＰＲＯＭ、ＥＥＰＲＯＭ、フラッシュＲＯＭ等のＲＯＭ１や、表示データや制御データを展開するためのＳＲＡＭ、ＳＤＲＡＭ、ＶＲＡＭ等のＲＡＭ２を有するメモリ部１０と、前記メモリ部１０とのデータの受け渡しやそのデータに基づいて表示制御を行うＣＰＵ３と、前記メモリ部１０に予め記憶した表示データにしたがって、前記表示部３０内のＬＥＤ素子８の点灯回数Ｃ１を伝える、フィールドプログラマブルゲートアレイ（以下、ＦＰＧＡという）４を有する表示制御部２０とを備える。
【０００４】
前記表示データのヘッダーには、多階調の表示データと単階調の表示データを表すフラグが与えられている。前記表示制御部２０では前記フラグにより、多階調の表示データに対しては表現力を重視し、単階調の表示データに対しては視認性を重視した表示制御を行っている。
【特許文献１】特開２００４−２３３４７７号公報
【発明の開示】
【発明が解決しようとする課題】
【０００５】
しかしながら、前記従来の構成では、文字や図形や静止画を多階調表示する場合、表示部から一定以上の距離をとらないと中間調部分が認識しづらく、はっきりとした表示にならない。そのため、多階調の表示データ以外に、近距離でもはっきり見える単階調のデータも別途記憶する必要があった。
【０００６】
本発明は、前記従来の課題を解決するもので、多階調の文字や図形や静止画を、近距離でもはっきり見える単階調で表示できる表示装置および画面表示方法を提供することを目的としている。
【課題を解決するための手段】
【０００７】
前記従来の課題を解決するために、本発明の表示装置は、複数配列した発光素子で構成され、文字や図形や静止画などの表示データを表示する表示装置において、文字や図形や静止画などの表示データの種類に応じたしきい値を持つことを特徴とする表示装置である。
【０００８】
本構成によれば、多階調の表示データを単階調に加工する際、文字や図形や静止画などの種類に応じた最適なしきい値を選択できる。これにより、文字や図形などの線が細くなり表示内容が見にくくなることを防止でき、また静止画などが全点灯や全消灯に近い表示を回避でき、見やすい表示を提供できる。
【０００９】
また、本発明の表示装置の画面表示方法は、リモコン受光部で検出した値に基づいて、多階調表示または単階調表示を切り分ける表示制御工程を備えたことを特徴とする表示装置である。
【００１０】
本構成によれば、リモコン受光部で検出した値に基づいて、多階調の表示データを単階調の表示データに変換することができ、表示内容を明瞭に表示することができる。
【発明の効果】
【００１１】
本発明の表示装置および画面表示方法によれば、多階調の表示データを単階調の表示データに変換する際、文字や図形や静止画などの種類に応じた最適なしきい値を選択することで、文字や図形などのデータはそのイメージを崩さずに単階調データに変換でき、多階調の静止画などのデータは、内容が認識できる単階調イメージに変換できる表示装置を実現できる。
【発明を実施するための最良の形態】
【００１２】
以下、本発明を実施するための最良の形態について、図面を参照しながら説明する。
【００１３】
（実施の形態１）
図１は本発明の実施の形態１における表示装置の概略構成を示すブロック図である。図１において、表示装置２００は、文字や図形や静止画などの表示データを表示するため、複数のＬＥＤ素子６０と、前記ＬＥＤ素子６０の点灯を制御するＬＥＤドライバ６１を備える表示部５９と、パーソナルコンピューター（図示せず）により作成された文字・図形・静止画などの表示データＤ１を、記憶媒体６３を介して入力し、表示データを保存するためのＥＰＲＯＭ、ＥＥＰＲＯＭ、フラッシュＲＯＭ等のＲＯＭ５２や、表示データや制御データを展開するためのＳＲＡＭ、ＳＤＲＡＭ等のＲＡＭ５３を備えるメモリ部５１と、前記メモリ部５１とのデータ処理を行うＣＰＵ５５と、表示するデータの種別を判別し、文字や図形や静止画などのそれぞれに設定されたしきい値によって単階調データに変換する為の表示データ切替部６５と、前記表示データ切替部６５で変換された表示データを前記表示部５９に送るための、ＦＰＧＡ５８を備える表示制御部５４で構成されている。
【００１４】
図３は、表示データ切替部６５における多階調の表示データを単階調の表示データへの変換を実施する際のしきい値で、多階調の表示データを４ビットで構成した例を示す。多階調の表示データは、０ｘ００〜０ｘ０Ｆの１６段階の明るさに応じた値の各ＬＥＤの情報で構成されている。文字や図形などの表示データの場合、しきい値を大きな値にしてしまうと、中間階調の輝度のＬＥＤが消灯してしまい、文字の線が細くなり見栄えが悪くなってしまう。そのため、しきい値を最も低い値０ｘ０１とし、このしきい値以上の明るさのＬＥＤも単階調の表示では点灯させ、文字や図形の線が細くならないようにする。静止画データの場合、単階調の表示データに変換させた表示データは、多階調の表現力を十分に発揮するために、表示可能な階調数である１６階調をできるだけ使用して、見やすく変換して使用する。そのため、多階調の表示データとして設定されているほぼ中間の値０ｘ０８をしきい値として用い、０ｘ０８以上のしきい値はＬＥＤを点灯、０ｘ０８未満のしきい値はＬＥＤを消灯とすることで、多階調の表示データの形状が崩れるのを抑えた単階調での表示が可能となる。
【００１５】
なお、表示データが１６階調以外の階調数の表示装置でも同様の考え方からしきい値を決めると、３２階調の場合、１ドットは５ビットのデータとなり、文字や図形の表示データのしきい値は０ｘ０１、静止画などの表示データのしきい値は０ｘ１０で処理する。６４階調の場合、１ドットは６ビットのデータとなり、文字データのしきい値は０ｘ０１、画像データのしきい値は０ｘ２０で処理する。
【００１６】
なお、表示データが１６階調や６４階調以外の場合も同様である。
【００１７】
また、図４は、表示装置の表示制御部５４による単階調変換後の表示例を示す。
【００１８】
本実施形態の表示装置によれば、リモコン受光部６４で検出した値に基づいて、表示するデータの種別を判別し、表示データ切替部６５で文字や図形や静止画などそれぞれに設定されたしきい値によって多階調データや単階調データに変換し、表示装置へ表示することができる。
【００１９】
なお、表示データ切替部６５をＦＰＧＡ５８に内蔵しても構わない。
【００２０】
（実施の形態２）
図２は、表示装置の表示制御部５４による多階調の表示データを単階調の表示データへの変換処理を示すフローチャートである。
【００２１】
図２（ａ）は、リモコン入力値を判定して値を保持する処理のフローチャートである。表示データ切替部６５は、リモコン受光部６４で検出したリモコン入力の値を保持する。この時、検出したリモコン入力の値が、多階調表示指示に対応する値か単階調表示指示に対応する値であれば、これを保持し、その他の値であれば、それまでの値の保持を継続する。図２（ｂ）は、表示データの更新時の変換処理を示すフローチャートである。表示データを更新する時に、図２（ａ）で決定したリモコン入力保持値を判定する（ステップＳ３０）。判定した結果が多階調の表示指示ならば、多階調の表示データをＦＰＧＡ５８に書き込む（ステップＳ３４）。一方、判定した結果が単階調の表示指示ならば、次に表示データを判定する（ステップＳ３１）。表示データはヘッダー部に、文字／図形／静止画データのそれぞれに対応する決められた値をデータ種別情報として持つ。表示データのヘッダー部を判定し、判定した結果が文字や図形ならば、図３のしきい値条件の文字・図形用に基づいて多階調の表示データを単階調の表示データに変換しＦＰＧＡ５８に書き込む（ステップＳ３２）。一方、判定した結果が静止画ならば、図３のしきい値条件の静止画用に基づいて多階調の表示データを単階調の表示データに変換しＦＰＧＡ５８に書き込む（ステップＳ３３）。ステップＳ３２、Ｓ３３、Ｓ３４でＦＰＧＡ５８に表示データを書き込むと本フローを終了する。
【００２２】
なお、検出したリモコン入力の値を、１回の表示データの更新までのみ保持し、表示データの更新までにリモコン入力がない場合は、多階調表示するという方法で、単階調表示指示のリモコン操作後の表示データ１回のみを単階調表示させても構わない。
【産業上の利用可能性】
【００２３】
本発明のＬＥＤ表示装置は、多階調の文字や図形や静止画などの表示データに対応したしきい値をそれぞれ持たせることで、近距離でもはっきり見える単階調で表示することができるとともに、表示データを保存するメモリ部に多階調の表示データと単階調の表示データを複数保存しなくてもよくなるため、多階調の表示データをたくさん保存でき、より効果的な表示をさせることができるとして有用である。
【図面の簡単な説明】
【００２４】
【図１】本発明の実施の形態１にかかる表示装置の概略構成を示すブロック図
【図２】本発明の実施の形態２にかかる変換処理を示すフローチャート
【図３】本発明の実施の形態１にかかる単階調変換のしきい値の例を示す図
【図４】本発明の実施の形態１にかかる単階調変換後の表示例を示す図
【図５】従来の表示装置の概略構成を示すブロック図
【符号の説明】
【００２５】
１、５２  ＲＯＭ
２、５３  ＲＡＭ
３、５５  ＣＰＵ
４、５８  ＦＰＧＡ
６、６３  記憶媒体
７、６１  ＬＥＤドライバ
８、６０  ＬＥＤ素子
１０、５１  メモリ部
２０、５４  表示制御部
３０、５９  表示部
６４  リモコン受光部
６５  表示データ切替部
１００、２００  表示装置
【図１】
2009025580.tif 000003
【図２】
2009025580.tif 000004
【図３】
2009025580.tif 000005
【図５】
2009025580.tif 000006
【図４】
2009025580.tif 000007